(57)【要約】【課題】非常時専用のポンプを設けることなく、消火用水を供給することができる貯湯式給湯装置を提供する。【解決手段】ヒートポンプ方式の貯湯式給湯装置１ａは、通常運転時において、第１のポンプＰ１は、貯湯タンク２１とヒートポンプユニット５との間で水を循環させる水流を発生させる。第１の非常運転時(断水発生時)において、運転制御部５４は、第１の開閉弁Ｖ１を閉じ、第２の開閉弁Ｖ２を閉じ、第３の開閉弁Ｖ３を開け、逃し弁ＲＶを開ける制御をする。そして、第１のポンプＰ１を動作させて、貯湯タンク２１に貯留されている湯水を消火用取水栓３０に送る水流を発生させる。第２の非常運転時(断水未発生時)において、運転制御部５４は、第１の開閉弁Ｖ１を開け、第２の開閉弁Ｖ２を閉じ、第３の開閉弁Ｖ３を開け、逃し弁ＲＶを閉じる制御をする。そして、第１のポンプＰ１を動作させて、配管２２から貯湯タンク２１に供給された水道水を消火用取水栓３０に送る水流を発生させる。【選択図】図１
2013204842.tif 000002
【特許請求の範囲】
【請求項１】
ヒートポンプ装置と、
前記ヒートポンプ装置で加熱された水を貯留する貯湯タンクと、
前記貯湯タンクに水道水を導く第１の配管と、
前記第１の配管に配置され、弁が電気的に駆動される第１の開閉弁と、
前記貯湯タンクから前記ヒートポンプ装置に水を導き、かつ前記ヒートポンプ装置で加熱された水を前記貯湯タンクに導く第２の配管と、
前記貯湯タンクの水を前記ヒートポンプ装置に送り、前記ヒートポンプ装置で加熱された水を前記貯湯タンクに送る水流を、前記第２の配管で発生させる第１のポンプと、
前記第１のポンプより下流側で前記第２の配管に配置され、弁が電気的に駆動される第２の開閉弁と、
前記第１のポンプと前記第２の開閉弁との間で前記第２の配管と接続された第３の配管と、
前記第３の配管に配置され、弁が電気的に駆動される第３の開閉弁と、
前記第３の開閉弁より下流側で前記第３の配管に取り付けられ、非常用ホースと接続可能な非常用取水栓と、
前記貯湯タンク内の負圧を前記貯湯タンクの外部に逃すための弁であり、弁が電気的に駆動される逃し弁と、
前記貯湯タンクに貯留されている湯水を非常用水として供給する第１の非常運転の選択を受け付ける受付部と、
(ａ)通常時、前記第１の開閉弁を開け、前記第２の開閉弁を開け、前記第３の開閉弁を閉じ、前記逃し弁を閉じ、及び、予め定められた条件で前記第１のポンプを動作させる通常運転の制御をし、(ｂ)前記受付部が前記第１の非常運転の選択を受け付けた場合、前記第１の開閉弁を閉じ、前記第２の開閉弁を閉じ、前記第３の開閉弁を開け、前記逃し弁を開け、及び、前記第１のポンプを動作させる第１の非常運転の制御をする運転制御部と、を備える貯湯式給湯装置。
【請求項２】
前記受付部は、前記貯湯タンクに供給される水道水を非常用水として供給する第２の非常運転を受け付け、
前記運転制御部は、(ｃ)前記受付部が前記第２の非常運転の選択を受け付けた場合、前記第１の開閉弁を開け、前記第２の開閉弁を閉じ、前記第３の開閉弁を開け、前記逃し弁を閉じ、及び、前記第１のポンプを動作させる第２の非常運転の制御をする請求項１に記載の貯湯式給湯装置。
【請求項３】
ヒートポンプ装置と、
前記ヒートポンプ装置で加熱された水を貯留する貯湯タンクと、
前記貯湯タンクに水道水を導く第１の配管と、
前記貯湯タンクから前記ヒートポンプ装置に水を導き、かつ前記ヒートポンプ装置で加熱された水を前記貯湯タンクに導く第２の配管と、
前記貯湯タンクの水を前記ヒートポンプ装置に送り、前記ヒートポンプ装置で加熱された水を前記貯湯タンクに送る水流を、前記第２の配管で発生させる第１のポンプと、
前記第１のポンプより下流側で前記第２の配管に配置され、弁が電気的に駆動される第２の開閉弁と、
前記第１のポンプと前記第２の開閉弁との間で前記第２の配管と接続された第３の配管と、
前記第３の配管に配置され、弁が電気的に駆動される第３の開閉弁と、
前記第３の開閉弁より下流側で前記第３の配管に取り付けられ、非常用ホースと接続可能な非常用取水栓と、
前記貯湯タンクに供給される水道水を非常用水として供給する非常運転の選択を受け付ける受付部と、
(ａ)通常時、前記第２の開閉弁を開け、前記第３の開閉弁を閉じ、及び、予め定められた条件で前記第１のポンプを動作させる通常運転の制御をし、(ｂ)前記受付部が前記非常運転の選択を受け付けた場合、前記第２の開閉弁を閉じ、前記第３の開閉弁を開け、及び、前記第１のポンプを動作させる非常運転の制御をする運転制御部と、を備える貯湯式給湯装置。
【請求項４】
ヒートポンプ装置と、
前記ヒートポンプ装置で加熱された水を貯留する貯湯タンクと、
前記貯湯タンクに水道水を導く第１の配管と、
前記第１の配管に配置され、弁が電気的に駆動される第１の開閉弁と、
前記貯湯タンクから前記ヒートポンプ装置に水を導き、かつ前記ヒートポンプ装置で加熱された水を前記貯湯タンクに導く第２の配管と、
前記貯湯タンクの水を前記ヒートポンプ装置に送り、前記ヒートポンプ装置で加熱された水を前記貯湯タンクに送る水流を、前記第２の配管で発生させる第１のポンプと、
前記第１のポンプより下流側で前記第２の配管に配置され、弁が電気的に駆動される第２の開閉弁と、
前記第１のポンプと前記第２の開閉弁との間で前記第２の配管と接続された第３の配管と、
前記第３の配管に配置され、弁が電気的に駆動される第３の開閉弁と、
前記貯湯タンク内の負圧を前記貯湯タンクの外部に逃すための弁であり、弁が電気的に駆動される逃し弁と、
風呂追い炊き用の熱交換器と、
前記貯湯タンクから前記熱交換器に湯水を導き、かつ前記熱交換器で熱を奪われた湯水を前記貯湯タンクに導く第４の配管と、
前記貯湯タンクの湯水を前記熱交換器に送り、前記熱交換器で熱を奪われた湯水を前記貯湯タンクに送る水流を、前記第４の配管で発生させる第２のポンプと、
前記第２のポンプより上流側で前記第４の配管に配置され、弁が電気的に駆動される第４の開閉弁と、
前記第２のポンプより下流側で前記第４の配管に配置され、弁が電気的に駆動される第５の開閉弁と、を備え、
前記第３の配管は、前記第４の開閉弁と前記第２のポンプとの間で前記第４の配管に接続されており、
さらに、
前記第２のポンプと前記第５の開閉弁との間で前記第４の配管に接続されている第５の配管と、
前記第５の配管に配置され、弁が電気的に駆動される第６の開閉弁と、
前記第６の開閉弁より下流側で前記第５の配管に取り付けられ、非常用ホースと接続可能な非常用取水栓と、
前記貯湯タンクに貯留されている湯水を非常用水として供給する第１の非常運転の選択を受け付ける受付部と、
(ａ)通常時、前記第１の開閉弁を開け、前記第２の開閉弁を開け、前記第３の開閉弁を閉じ、前記逃し弁を閉じ、前記第４の開閉弁を開け、前記第５の開閉弁を開け、前記第６の開閉弁を閉じ、及び、予め定められた条件で前記第１のポンプ及び／又は前記第２のポンプを動作させる通常運転の制御をし、(ｂ)前記受付部が前記第１の非常運転の選択を受け付けた場合、前記第１の開閉弁を閉じ、前記第２の開閉弁を閉じ、前記第３の開閉弁を開け、前記逃し弁を開け、前記第４の開閉弁を閉じ、前記第５の開閉弁を閉じ、前記第６の開閉弁を開け、及び、前記第１のポンプと前記第２のポンプとを動作させる第１の非常運転の制御をする運転制御部と、を備える貯湯式給湯装置。
【請求項５】
前記受付部は、前記貯湯タンクに供給される水道水を非常用水として供給する第２の非常運転を受け付け、
前記運転制御部は、(ｃ)前記受付部が前記第２の非常運転の選択を受け付けた場合、前記第１の開閉弁を開け、前記第２の開閉弁を閉じ、前記第３の開閉弁を開け、前記逃し弁を閉じ、前記第４の開閉弁を閉じ、前記第５の開閉弁を閉じ、前記第６の開閉弁を開け、及び、前記第１のポンプと前記第２のポンプとを動作させる第２の非常運転の制御をする請求項４に記載の貯湯式給湯装置。
【請求項６】
ヒートポンプ装置と、
前記ヒートポンプ装置で加熱された水を貯留する貯湯タンクと、
前記貯湯タンクに水道水を導く第１の配管と、
前記貯湯タンクから前記ヒートポンプ装置に水を導き、かつ前記ヒートポンプ装置で加熱された水を前記貯湯タンクに導く第２の配管と、
前記貯湯タンクの水を前記ヒートポンプ装置に送り、前記ヒートポンプ装置で加熱された水を前記貯湯タンクに送る水流を、前記第２の配管で発生させる第１のポンプと、
前記第１のポンプより下流側で前記第２の配管に配置され、弁が電気的に駆動される第２の開閉弁と、
前記第１のポンプと前記第２の開閉弁との間で前記第２の配管と接続された第３の配管と、
前記第３の配管に配置され、弁が電気的に駆動される第３の開閉弁と、
風呂追い炊き用の熱交換器と、
前記貯湯タンクから前記熱交換器に湯水を導き、かつ前記熱交換器で熱を奪われた湯水を前記貯湯タンクに導く第４の配管と、
前記貯湯タンクの湯水を前記熱交換器に送り、前記熱交換器で熱を奪われた湯水を前記貯湯タンクに送る水流を、前記第４の配管で発生させる第２のポンプと、
前記第２のポンプより上流側で前記第４の配管に配置され、弁が電気的に駆動される第４の開閉弁と、
前記第２のポンプより下流側で前記第４の配管に配置され、弁が電気的に駆動される第５の開閉弁と、を備え、
前記第３の配管は、前記第４の開閉弁と前記第２のポンプとの間で前記第４の配管に接続されており、
さらに、
前記第２のポンプと前記第５の開閉弁との間で前記第４の配管に接続されている第５の配管と、
前記第５の配管に配置され、弁が電気的に駆動される第６の開閉弁と、
前記第６の開閉弁より下流側で前記第５の配管に取り付けられ、非常用ホースと接続可能な非常用取水栓と、
前記貯湯タンクに供給される水道水を非常用水として供給する非常運転の選択を受け付ける受付部と、
(ａ)通常時、前記第２の開閉弁を開け、前記第３の開閉弁を閉じ、前記第４の開閉弁を開け、前記第５の開閉弁を開け、前記第６の開閉弁を閉じ、及び、予め定められた条件で前記第１のポンプ及び／又は前記第２のポンプを動作させる通常運転の制御をし、(ｂ)前記受付部が前記非常運転の選択を受け付けた場合、前記第２の開閉弁を閉じ、前記第３の開閉弁を開け、前記第４の開閉弁を閉じ、前記第５の開閉弁を閉じ、前記第６の開閉弁を開け、及び、前記第１のポンプと前記第２のポンプとを動作させる非常運転の制御をする運転制御部と、を備える貯湯式給湯装置。
【請求項７】
ヒートポンプ装置と、
前記ヒートポンプ装置で加熱された水を貯留する貯湯タンクと、
前記貯湯タンクに水道水を導く第１の配管と、
前記第１の配管に配置され、弁が電気的に駆動される第１の開閉弁と、
前記貯湯タンクから前記ヒートポンプ装置に水を導き、かつ前記ヒートポンプ装置で加熱された水を前記貯湯タンクに導く第２の配管と、
前記貯湯タンクの水を前記ヒートポンプ装置に送り、前記ヒートポンプ装置で加熱された水を前記貯湯タンクに送る水流を、前記第２の配管で発生させる第１のポンプと、
前記第１のポンプより下流側で前記第２の配管に配置され、弁が電気的に駆動される第２の開閉弁と、
前記第１のポンプと前記第２の開閉弁との間で前記第２の配管と接続された第３の配管と、
前記第３の配管に配置され、弁が電気的に駆動される第３の開閉弁と、
前記貯湯タンク内の負圧を前記貯湯タンクの外部に逃すための弁であり、弁が電気的に駆動される逃し弁と、
風呂追い炊き用の熱交換器と、
前記貯湯タンクから前記熱交換器に湯水を導き、かつ前記熱交換器で熱を奪われた湯水を前記貯湯タンクに導く第４の配管と、
前記貯湯タンクの湯水を前記熱交換器に送り、前記熱交換器で熱を奪われた湯水を前記貯湯タンクに送る水流を、前記第４の配管で発生させる第２のポンプと、
前記第２のポンプより上流側で前記第４の配管に配置され、弁が電気的に駆動される第４の開閉弁と、
前記第２のポンプより下流側で前記第４の配管に配置され、弁が電気的に駆動される第５の開閉弁と、を備え、
前記第３の配管は、前記第４の開閉弁と前記第２のポンプとの間で前記第４の配管に接続されており、
さらに、
前記第２のポンプと前記第５の開閉弁との間で前記第４の配管に接続されている第５の配管と、
前記第５の配管に配置され、弁が電気的に駆動される第６の開閉弁と、
浴槽から前記熱交換器を通り前記浴槽に湯水を導く第６の配管と、
前記浴槽の湯水を前記熱交換器に送り、前記熱交換器で加熱された湯水を前記浴槽に送る水流を、前記第６の配管で発生させる第３のポンプと、
前記第３のポンプより上流側で前記第６の配管に配置され、弁が電気的に駆動される第７の開閉弁と、
前記第３のポンプより下流側で前記第６の配管に配置され、弁が電気的に駆動される第８の開閉弁と、
前記第５の配管は、前記第７の開閉弁と前記第３のポンプとの間で前記第６の配管に接続されており、
前記第３のポンプと前記第８の開閉弁との間で前記第６の配管に接続されている第７の配管と、
前記第７の配管に配置され、弁が電気的に駆動される第９の開閉弁と、
前記第９の開閉弁より下流側で前記第７の配管に取り付けられ、非常用ホースと接続可能な非常用取水栓と、
前記貯湯タンクに貯留されている湯水を非常用水として供給する第１の非常運転の選択を受け付ける受付部と、
(ａ)通常時、前記第１の開閉弁を開け、前記第２の開閉弁を開け、前記第３の開閉弁を閉じ、前記逃し弁を閉じ、前記第４の開閉弁を開け、前記第５の開閉弁を開け、前記第６の開閉弁を閉じ、前記第７の開閉弁を開け、前記第８の開閉弁を開け、前記第９の開閉弁を閉じ、及び、予め定められた条件で前記第１のポンプ、前記第２のポンプ及び／又は前記第３のポンプを動作させる通常運転の制御をし、(ｂ)前記受付部が前記第１の非常運転の選択を受け付けた場合、前記第１の開閉弁を閉じ、前記第２の開閉弁を閉じ、前記第３の開閉弁を開け、前記逃し弁を開け、前記第４の開閉弁を閉じ、前記第５の開閉弁を閉じ、前記第６の開閉弁を開け、前記第７の開閉弁を閉じ、前記第８の開閉弁を閉じ、前記第９の開閉弁を開け、及び、前記第１のポンプと前記第２のポンプと前記第３のポンプとを動作させる第１の非常運転の制御をする運転制御部と、を備える貯湯式給湯装置。
【請求項８】
前記受付部は、前記貯湯タンクに供給される水道水を非常用水として供給する第２の非常運転を受け付け、
前記運転制御部は、(ｃ)前記受付部が前記第２の非常運転の選択を受け付けた場合、前記第１の開閉弁を開け、前記第２の開閉弁を閉じ、前記第３の開閉弁を開け、前記逃し弁を閉じ、前記第４の開閉弁を閉じ、前記第５の開閉弁を閉じ、前記第６の開閉弁を開け、前記第７の開閉弁を閉じ、前記第８の開閉弁を閉じ、前記第９の開閉弁を開け、及び、前記第１のポンプと前記第２のポンプと前記第３のポンプとを動作させる第２の非常運転の制御をする請求項７に記載の貯湯式給湯装置。
【請求項９】
ヒートポンプ装置と、
前記ヒートポンプ装置で加熱された水を貯留する貯湯タンクと、
前記貯湯タンクに水道水を導く第１の配管と、
前記貯湯タンクから前記ヒートポンプ装置に水を導き、かつ前記ヒートポンプ装置で加熱された水を前記貯湯タンクに導く第２の配管と、
前記貯湯タンクの水を前記ヒートポンプ装置に送り、前記ヒートポンプ装置で加熱された水を前記貯湯タンクに送る水流を、前記第２の配管で発生させる第１のポンプと、
前記第１のポンプより下流側で前記第２の配管に配置され、弁が電気的に駆動される第２の開閉弁と、
前記第１のポンプと前記第２の開閉弁との間で前記第２の配管と接続された第３の配管と、
前記第３の配管に配置され、弁が電気的に駆動される第３の開閉弁と、
風呂追い炊き用の熱交換器と、
前記貯湯タンクから前記熱交換器に湯水を導き、かつ前記熱交換器で熱を奪われた湯水を前記貯湯タンクに導く第４の配管と、
前記貯湯タンクの湯水を前記熱交換器に送り、前記熱交換器で熱を奪われた湯水を前記貯湯タンクに送る水流を、前記第４の配管で発生させる第２のポンプと、
前記第２のポンプより上流側で前記第４の配管に配置され、弁が電気的に駆動される第４の開閉弁と、
前記第２のポンプより下流側で前記第４の配管に配置され、弁が電気的に駆動される第５の開閉弁と、を備え、
前記第３の配管は、前記第４の開閉弁と前記第２のポンプとの間で前記第４の配管に接続されており、
さらに、
前記第２のポンプと前記第５の開閉弁との間で前記第４の配管に接続されている第５の配管と、
前記第５の配管に配置され、弁が電気的に駆動される第６の開閉弁と、
浴槽から前記熱交換器を通り前記浴槽に湯水を導く第６の配管と、
前記浴槽の湯水を前記熱交換器に送り、前記熱交換器で加熱された湯水を前記浴槽に送る水流を、前記第６の配管で発生させる第３のポンプと、
前記第３のポンプより上流側で前記第６の配管に配置され、弁が電気的に駆動される第７の開閉弁と、
前記第３のポンプより下流側で前記第６の配管に配置され、弁が電気的に駆動される第８の開閉弁と、
前記第５の配管は、前記第７の開閉弁と前記第３のポンプとの間で前記第６の配管に接続されており、
前記第３のポンプと前記第８の開閉弁との間で前記第６の配管に接続されている第７の配管と、
前記第７の配管に配置され、弁が電気的に駆動される第９の開閉弁と、
前記第９の開閉弁より下流側で前記第７の配管に取り付けられ、非常用ホースと接続可能な非常用取水栓と、
前記貯湯タンクに供給される水道水を非常用水として供給する非常運転の選択を受け付ける受付部と、
(ａ)通常時、前記第２の開閉弁を開け、前記第３の開閉弁を閉じ、前記第４の開閉弁を開け、前記第５の開閉弁を開け、前記第６の開閉弁を閉じ、前記第７の開閉弁を開け、前記第８の開閉弁を開け、前記第９の開閉弁を閉じ、及び、予め定められた条件で前記第１のポンプ、前記第２のポンプ及び／又は前記第３のポンプを動作させる通常運転の制御をし、(ｂ)前記受付部が前記非常運転の選択を受け付けた場合、前記第２の開閉弁を閉じ、前記第３の開閉弁を開け、前記第４の開閉弁を閉じ、前記第５の開閉弁を閉じ、前記第６の開閉弁を開け、前記第７の開閉弁を閉じ、前記第８の開閉弁を閉じ、前記第９の開閉弁を開け、及び、前記第１のポンプと前記第２のポンプと前記第３のポンプとを動作させる非常運転の制御をする運転制御部と、を備える貯湯式給湯装置。
【請求項１０】
前記非常用取水栓は、前記非常用水を消火用水として供給する消火用取水栓である請求項１〜９のいずれか一項に記載の貯湯式給湯装置。
【発明の詳細な説明】
【技術分野】
【０００１】
本発明は、ヒートポンプ方式の貯湯式給湯装置に関するものである。
【背景技術】
【０００２】
貯湯式給湯装置は、電力料金が割安な深夜電力時間帯に、電気ヒータやヒートポンプによって湯水を生成し、貯湯タンクに貯留させておき、貯湯タンクの湯水をフロ水やシャワー水等として供給するものである。
【０００３】
貯湯タンクは、非常用取水栓と接続されており、断水発生時に、貯湯タンクに貯留されている湯水を、洗顔用水等として利用できるようにされている。非常用取水栓から供給される湯水は、自然落下方式が採用されており、水圧が弱いので、消火ホースで放水する消火用水としては利用できなかった。
【０００４】
貯湯タンクに貯留されている湯水を、消火用水として利用できるようにした貯湯式給湯装置が提案されている(例えば、特許文献１参照)。この貯湯式給湯装置では、非常時専用の給水装置を貯湯タンクに接続し、非常時に給水装置のポンプを動かして、貯湯タンクの湯水を消火用水として供給できるようにしている。
【先行技術文献】
【特許文献】
【０００５】
【特許文献１】特開平９−６０９７０号公報
【発明の概要】
【発明が解決しようとする課題】
【０００６】
非常時専用の給水装置を利用して、貯湯タンクの湯水を消火用水として供給する方式では、非常時以外、給水装置(給水装置のポンプ)が使用されず、効率的でない。
【０００７】
本発明の目的は、非常時専用のポンプを設けることなく、非常用水を供給することができる貯湯式給湯装置を提供することである。
【課題を解決するための手段】
【０００８】
本発明の第１の局面に係る貯湯式給湯装置は、ヒートポンプ装置と、前記ヒートポンプ装置で加熱された水を貯留する貯湯タンクと、前記貯湯タンクに水道水を導く第１の配管と、前記第１の配管に配置され、弁が電気的に駆動される第１の開閉弁と、前記貯湯タンクから前記ヒートポンプ装置に水を導き、かつ前記ヒートポンプ装置で加熱された水を前記貯湯タンクに導く第２の配管と、前記貯湯タンクの水を前記ヒートポンプ装置に送り、前記ヒートポンプ装置で加熱された水を前記貯湯タンクに送る水流を、前記第２の配管で発生させる第１のポンプと、前記第１のポンプより下流側で前記第２の配管に配置され、弁が電気的に駆動される第２の開閉弁と、前記第１のポンプと前記第２の開閉弁との間で前記第２の配管と接続された第３の配管と、前記第３の配管に配置され、弁が電気的に駆動される第３の開閉弁と、前記第３の開閉弁より下流側で前記第３の配管に取り付けられ、非常用ホースと接続可能な非常用取水栓と、前記貯湯タンク内の負圧を前記貯湯タンクの外部に逃すための弁であり、弁が電気的に駆動される逃し弁と、前記貯湯タンクに貯留されている湯水を非常用水として供給する第１の非常運転の選択を受け付ける受付部と、(ａ)通常時、前記第１の開閉弁を開け、前記第２の開閉弁を開け、前記第３の開閉弁を閉じ、前記逃し弁を閉じ、及び、予め定められた条件で前記第１のポンプを動作させる通常運転の制御をし、(ｂ)前記受付部が前記第１の非常運転の選択を受け付けた場合、前記第１の開閉弁を閉じ、前記第２の開閉弁を閉じ、前記第３の開閉弁を開け、前記逃し弁を開け、及び、前記第１のポンプを動作させる第１の非常運転の制御をする運転制御部と、を備える。
【０００９】
本発明の第１の局面に係る貯湯式給湯装置では、貯湯式給湯装置の通常運転時と第１の非常運転時とで第１のポンプの動作目的を変えている。すなわち、第１実施形態で説明しているように、通常運転時において、第１のポンプは、貯湯タンクとヒートポンプ装置との間で水を循環させる水流を発生させる。これに対して、第１の非常運転時において、第１のポンプは、貯湯タンクに貯留されている湯水を非常用取水栓に送る水流を発生させる。
【００１０】
本発明の第１の局面に係る貯湯式給湯装置によれば、第１の非常運転を選択することにより、貯湯タンクに貯留されている湯水を第１のポンプで加圧して、非常用取水栓に導くこができる。このため、非常時専用のポンプを設けることなく、非常用水を供給することができる。
【００１１】
第１の非常運転では、第１の開閉弁が閉じられており、貯湯タンクの湯水が減るので、貯湯タンク内に負圧が発生する。負圧により貯湯タンクが凹んで壊れる可能性がある。そこで、逃し弁を開けて、貯湯タンク内の負圧を貯湯タンクの外部に逃している。
【００１２】
また、本発明の第１の局面に係る貯湯式給湯装置は、以下の作用効果も有する。
【００１３】
この貯湯式給湯装置によれば、貯湯タンクに貯留されている湯水を非常用水として利用するので、貯湯タンクに供給される水道水が断水している場合でも、非常用水を供給することができる。
【００１４】
この貯湯式給湯装置によれば、非常用水が通る流路(すなわち、貯湯タンク、第２の配管の一部及び第３の配管で構成される流路)は、汚水が流れない流路である。従って、貯湯式給湯装置を、非常用水を供給する装置として使用をした後も、通常の給湯装置として使用をすることができる。    
【００１５】
この貯湯式給湯装置によれば、第１のポンプを利用して非常用水を供給するので、非常用水供給用の専用のポンプを設置する場合に比べて、コストを下げることができる。
【００１６】
上記構成において、前記受付部は、前記貯湯タンクに供給される水道水を非常用水として供給する第２の非常運転を受け付け、前記運転制御部は、(ｃ)前記受付部が前記第２の非常運転の選択を受け付けた場合、前記第１の開閉弁を開け、前記第２の開閉弁を閉じ、前記第３の開閉弁を開け、前記逃し弁を閉じ、及び、前記第１のポンプを動作させる第２の非常運転の制御をする。
【００１７】
この構成によれば、第２の非常運転において、第１実施形態で説明しているように、第１の配管から貯湯タンクに供給された水道水を第１のポンプで加圧して、非常用取水栓に導くこができる。
【００１８】
第１の非常運転では、貯湯タンクに貯留されている湯水が無くなれば、非常用水を供給できなくなる。これに対して、第２の非常運転では  第１の配管から貯湯タンクに供給された水道水を非常用水として利用するので、第１の配管から貯湯タンクに水道水が供給されている限り、非常用水を供給することができる。
【００１９】
なお、第２の非常運転では、第１の開閉弁が開けられているので、通常運転と同様に第１の配管から水道水が貯湯タンクに供給される。よって、通常運転と同様に、逃し弁を閉じている。
【００２０】
また、この構成によれば、非常用水が通る流路(すなわち、第１の配管、貯湯タンク、第２の配管の一部及び第３の配管で構成される流路)は、汚水が流れない流路である。従って、貯湯式給湯装置を、非常用水を供給する装置として使用をした後も、通常の給湯装置として使用をすることができる。
【００２１】
本発明の第２の局面に係る貯湯式給湯装置は、ヒートポンプ装置と、前記ヒートポンプ装置で加熱された水を貯留する貯湯タンクと、前記貯湯タンクに水道水を導く第１の配管と、前記貯湯タンクから前記ヒートポンプ装置に水を導き、かつ前記ヒートポンプ装置で加熱された水を前記貯湯タンクに導く第２の配管と、前記貯湯タンクの水を前記ヒートポンプ装置に送り、前記ヒートポンプ装置で加熱された水を前記貯湯タンクに送る水流を、前記第２の配管で発生させる第１のポンプと、前記第１のポンプより下流側で前記第２の配管に配置され、弁が電気的に駆動される第２の開閉弁と、前記第１のポンプと前記第２の開閉弁との間で前記第２の配管と接続された第３の配管と、前記第３の配管に配置され、弁が電気的に駆動される第３の開閉弁と、前記第３の開閉弁より下流側で前記第３の配管に取り付けられ、非常用ホースと接続可能な非常用取水栓と、前記貯湯タンクに供給される水道水を非常用水として供給する非常運転の選択を受け付ける受付部と、(ａ)通常時、前記第２の開閉弁を開け、前記第３の開閉弁を閉じ、及び、予め定められた条件で前記第１のポンプを動作させる通常運転の制御をし、(ｂ)前記受付部が前記非常運転の選択を受け付けた場合、前記第２の開閉弁を閉じ、前記第３の開閉弁を開け、及び、前記第１のポンプを動作させる非常運転の制御をする運転制御部と、を備える。
【００２２】
本発明の第２の局面に係る貯湯式給湯装置は、本発明の第１の局面に係る貯湯式給湯装置での第２の非常運転を非常運転とした態様であり、本発明の第１の局面に係る貯湯式給湯装置での第２の非常運転と同様の作用効果を有する。
【００２３】
本発明の第３の局面に係る貯湯式給湯装置は、ヒートポンプ装置と、前記ヒートポンプ装置で加熱された水を貯留する貯湯タンクと、前記貯湯タンクに水道水を導く第１の配管と、前記第１の配管に配置され、弁が電気的に駆動される第１の開閉弁と、前記貯湯タンクから前記ヒートポンプ装置に水を導き、かつ前記ヒートポンプ装置で加熱された水を前記貯湯タンクに導く第２の配管と、前記貯湯タンクの水を前記ヒートポンプ装置に送り、前記ヒートポンプ装置で加熱された水を前記貯湯タンクに送る水流を、前記第２の配管で発生させる第１のポンプと、前記第１のポンプより下流側で前記第２の配管に配置され、弁が電気的に駆動される第２の開閉弁と、前記第１のポンプと前記第２の開閉弁との間で前記第２の配管と接続された第３の配管と、前記第３の配管に配置され、弁が電気的に駆動される第３の開閉弁と、前記貯湯タンク内の負圧を前記貯湯タンクの外部に逃すための弁であり、弁が電気的に駆動される逃し弁と、風呂追い炊き用の熱交換器と、前記貯湯タンクから前記熱交換器に湯水を導き、かつ前記熱交換器で熱を奪われた湯水を前記貯湯タンクに導く第４の配管と、前記貯湯タンクの湯水を前記熱交換器に送り、前記熱交換器で熱を奪われた湯水を前記貯湯タンクに送る水流を、前記第４の配管で発生させる第２のポンプと、前記第２のポンプより上流側で前記第４の配管に配置され、弁が電気的に駆動される第４の開閉弁と、前記第２のポンプより下流側で前記第４の配管に配置され、弁が電気的に駆動される第５の開閉弁と、を備え、前記第３の配管は、前記第４の開閉弁と前記第２のポンプとの間で前記第４の配管に接続されており、さらに、前記第２のポンプと前記第５の開閉弁との間で前記第４の配管に接続されている第５の配管と、前記第５の配管に配置され、弁が電気的に駆動される第６の開閉弁と、前記第６の開閉弁より下流側で前記第５の配管に取り付けられ、非常用ホースと接続可能な非常用取水栓と、前記貯湯タンクに貯留されている湯水を非常用水として供給する第１の非常運転の選択を受け付ける受付部と、(ａ)通常時、前記第１の開閉弁を開け、前記第２の開閉弁を開け、前記第３の開閉弁を閉じ、前記逃し弁を閉じ、前記第４の開閉弁を開け、前記第５の開閉弁を開け、前記第６の開閉弁を閉じ、及び、予め定められた条件で前記第１のポンプ及び／又は前記第２のポンプを動作させる通常運転の制御をし、(ｂ)前記受付部が前記第１の非常運転の選択を受け付けた場合、前記第１の開閉弁を閉じ、前記第２の開閉弁を閉じ、前記第３の開閉弁を開け、前記逃し弁を開け、前記第４の開閉弁を閉じ、前記第５の開閉弁を閉じ、前記第６の開閉弁を開け、及び、前記第１のポンプと前記第２のポンプとを動作させる第１の非常運転の制御をする運転制御部と、を備える。
【００２４】
本発明の第３の局面に係る貯湯式給湯装置では、貯湯式給湯装置の通常運転時と第１の非常運転時とで第１のポンプ及び第２のポンプの動作目的を変えている。すなわち、第２実施形態で説明しているように、通常運転時において、第１のポンプは、貯湯タンクとヒートポンプ装置との間で水を循環させる水流を発生させ、第２のポンプは、貯湯タンクとフロ追い炊き用の熱交換器との間で湯水を循環させる水流を発生させる。これに対して、第１の非常運転時において、第１のポンプ及び第２のポンプは、貯湯タンクに貯留されている湯水を非常用取水栓に送る水流を発生させる。
【００２５】
本発明の第３の局面に係る貯湯式給湯装置によれば、第１の非常運転を選択することにより、貯湯タンクに貯留されている湯水を第１のポンプ及び第２のポンプで加圧して、非常用取水栓に導くこができる。このため、非常時専用のポンプを設けることなく、非常用水を供給することができる。
【００２６】
第１の非常運転では、第１の開閉弁が閉じられおり、貯湯タンクの湯水が減るので、貯湯タンク内に負圧が発生する。負圧により貯湯タンクが凹んで壊れる可能性がある。そこで、逃し弁を開けて、貯湯タンク内の負圧を貯湯タンクの外部に逃している。
【００２７】
また、本発明の第３の局面に係る貯湯式給湯装置は、以下の作用効果も有する。
【００２８】
この貯湯式給湯装置によれば、貯湯タンクに貯留されている湯水を第１のポンプ及び第２のポンプで加圧するので、第１のポンプだけで加圧する場合と比べて、非常用水の水圧を上げることができる。
【００２９】
この貯湯式給湯装置によれば、貯湯タンクに貯留されている湯水を非常用水として利用するので、貯湯タンクに供給される水道水が断水している場合でも、非常用水を供給することができる。
【００３０】
この貯湯式給湯装置によれば、非常用水が通る流路(すなわち、貯湯タンク、第２の配管の一部、第３の配管、第４の配管の一部及び第５の配管で構成される流路)は、汚水が流れない流路である。従って、貯湯式給湯装置を、非常用水を供給する装置として使用をした後も、通常の給湯装置として使用をすることができる。    
【００３１】
この貯湯式給湯装置によれば、第１のポンプ及び第２のポンプを利用して非常用水を供給するので、非常用水供給用の専用のポンプを設置する場合に比べて、コストを下げることができる。
【００３２】
上記構成において、前記受付部は、前記貯湯タンクに供給される水道水を非常用水として供給する第２の非常運転を受け付け、前記運転制御部は、(ｃ)前記受付部が前記第２の非常運転の選択を受け付けた場合、前記第１の開閉弁を開け、前記第２の開閉弁を閉じ、前記第３の開閉弁を開け、前記逃し弁を閉じ、前記第４の開閉弁を閉じ、前記第５の開閉弁を閉じ、前記第６の開閉弁を開け、及び、前記第１のポンプと前記第２のポンプとを動作させる第２の非常運転の制御をする。
【００３３】
この構成によれば、第２の非常運転において、第２実施形態で説明しているように、第１の配管から貯湯タンクに供給された水道水を、第１のポンプ及び第２のポンプで加圧して、非常用取水栓に導くこができる。
【００３４】
第１の非常運転では、貯湯タンクに貯留されている湯水が無くなれば、非常用水を供給できなくなる。これに対して、第２の非常運転では  第１の配管から貯湯タンクに供給された水道水を非常用水として利用するので、第１の配管から貯湯タンクに水道水が供給されている限り、非常用水を供給することができる。
【００３５】
なお、第２の非常運転では、第１の開閉弁が開けられているので、通常運転と同様に第１の配管から水道水が貯湯タンクに供給される。よって、通常運転と同様に、逃し弁を閉じている。
【００３６】
また、この構成によれば、非常用水が通る流路(すなわち、第１の配管、貯湯タンク、第２の配管の一部、第３の配管、第４の配管の一部及び第５の配管で構成される流路)は、汚水が流れない流路である。従って、貯湯式給湯装置を、非常用水を供給する装置として使用をした後も、通常の給湯装置として使用をすることができる。
【００３７】
本発明の第４の局面に係る貯湯式給湯装置は、ヒートポンプ装置と、前記ヒートポンプ装置で加熱された水を貯留する貯湯タンクと、前記貯湯タンクに水道水を導く第１の配管と、前記貯湯タンクから前記ヒートポンプ装置に水を導き、かつ前記ヒートポンプ装置で加熱された水を前記貯湯タンクに導く第２の配管と、前記貯湯タンクの水を前記ヒートポンプ装置に送り、前記ヒートポンプ装置で加熱された水を前記貯湯タンクに送る水流を、前記第２の配管で発生させる第１のポンプと、前記第１のポンプより下流側で前記第２の配管に配置され、弁が電気的に駆動される第２の開閉弁と、前記第１のポンプと前記第２の開閉弁との間で前記第２の配管と接続された第３の配管と、前記第３の配管に配置され、弁が電気的に駆動される第３の開閉弁と、風呂追い炊き用の熱交換器と、前記貯湯タンクから前記熱交換器に湯水を導き、かつ前記熱交換器で熱を奪われた湯水を前記貯湯タンクに導く第４の配管と、前記貯湯タンクの湯水を前記熱交換器に送り、前記熱交換器で熱を奪われた湯水を前記貯湯タンクに送る水流を、前記第４の配管で発生させる第２のポンプと、前記第２のポンプより上流側で前記第４の配管に配置され、弁が電気的に駆動される第４の開閉弁と、前記第２のポンプより下流側で前記第４の配管に配置され、弁が電気的に駆動される第５の開閉弁と、を備え、前記第３の配管は、前記第４の開閉弁と前記第２のポンプとの間で前記第４の配管に接続されており、さらに、前記第２のポンプと前記第５の開閉弁との間で前記第４の配管に接続されている第５の配管と、前記第５の配管に配置され、弁が電気的に駆動される第６の開閉弁と、前記第６の開閉弁より下流側で前記第５の配管に取り付けられ、非常用ホースと接続可能な非常用取水栓と、前記貯湯タンクに供給される水道水を非常用水として供給する非常運転の選択を受け付ける受付部と、(ａ)通常時、前記第２の開閉弁を開け、前記第３の開閉弁を閉じ、前記第４の開閉弁を開け、前記第５の開閉弁を開け、前記第６の開閉弁を閉じ、及び、予め定められた条件で前記第１のポンプ及び／又は前記第２のポンプを動作させる通常運転の制御をし、(ｂ)前記受付部が前記非常運転の選択を受け付けた場合、前記第２の開閉弁を閉じ、前記第３の開閉弁を開け、前記第４の開閉弁を閉じ、前記第５の開閉弁を閉じ、前記第６の開閉弁を開け、及び、前記第１のポンプと前記第２のポンプとを動作させる非常運転の制御をする運転制御部と、を備える。
【００３８】
本発明の第４の局面に係る貯湯式給湯装置は、本発明の第３の局面に係る貯湯式給湯装置での第２の非常運転を非常運転とした態様であり、本発明の第３の局面に係る貯湯式給湯装置での第２の非常運転と同様の作用効果を有する。
【００３９】
本発明の第５の局面に係る貯湯式給湯装置は、ヒートポンプ装置と、前記ヒートポンプ装置で加熱された水を貯留する貯湯タンクと、前記貯湯タンクに水道水を導く第１の配管と、前記第１の配管に配置され、弁が電気的に駆動される第１の開閉弁と、前記貯湯タンクから前記ヒートポンプ装置に水を導き、かつ前記ヒートポンプ装置で加熱された水を前記貯湯タンクに導く第２の配管と、前記貯湯タンクの水を前記ヒートポンプ装置に送り、前記ヒートポンプ装置で加熱された水を前記貯湯タンクに送る水流を、前記第２の配管で発生させる第１のポンプと、前記第１のポンプより下流側で前記第２の配管に配置され、弁が電気的に駆動される第２の開閉弁と、前記第１のポンプと前記第２の開閉弁との間で前記第２の配管と接続された第３の配管と、前記第３の配管に配置され、弁が電気的に駆動される第３の開閉弁と、前記貯湯タンク内の負圧を前記貯湯タンクの外部に逃すための弁であり、弁が電気的に駆動される逃し弁と、風呂追い炊き用の熱交換器と、前記貯湯タンクから前記熱交換器に湯水を導き、かつ前記熱交換器で熱を奪われた湯水を前記貯湯タンクに導く第４の配管と、前記貯湯タンクの湯水を前記熱交換器に送り、前記熱交換器で熱を奪われた湯水を前記貯湯タンクに送る水流を、前記第４の配管で発生させる第２のポンプと、前記第２のポンプより上流側で前記第４の配管に配置され、弁が電気的に駆動される第４の開閉弁と、前記第２のポンプより下流側で前記第４の配管に配置され、弁が電気的に駆動される第５の開閉弁と、を備え、前記第３の配管は、前記第４の開閉弁と前記第２のポンプとの間で前記第４の配管に接続されており、さらに、前記第２のポンプと前記第５の開閉弁との間で前記第４の配管に接続されている第５の配管と、前記第５の配管に配置され、弁が電気的に駆動される第６の開閉弁と、浴槽から前記熱交換器を通り前記浴槽に湯水を導く第６の配管と、前記浴槽の湯水を前記熱交換器に送り、前記熱交換器で加熱された湯水を前記浴槽に送る水流を、前記第６の配管で発生させる第３のポンプと、前記第３のポンプより上流側で前記第６の配管に配置され、弁が電気的に駆動される第７の開閉弁と、前記第３のポンプより下流側で前記第６の配管に配置され、弁が電気的に駆動される第８の開閉弁と、前記第５の配管は、前記第７の開閉弁と前記第３のポンプとの間で前記第６の配管に接続されており、前記第３のポンプと前記第８の開閉弁との間で前記第６の配管に接続されている第７の配管と、前記第７の配管に配置され、弁が電気的に駆動される第９の開閉弁と、前記第９の開閉弁より下流側で前記第７の配管に取り付けられ、非常用ホースと接続可能な非常用取水栓と、前記貯湯タンクに貯留されている湯水を非常用水として供給する第１の非常運転の選択を受け付ける受付部と、(ａ)通常時、前記第１の開閉弁を開け、前記第２の開閉弁を開け、前記第３の開閉弁を閉じ、前記逃し弁を閉じ、前記第４の開閉弁を開け、前記第５の開閉弁を開け、前記第６の開閉弁を閉じ、前記第７の開閉弁を開け、前記第８の開閉弁を開け、前記第９の開閉弁を閉じ、及び、予め定められた条件で前記第１のポンプ、前記第２のポンプ及び／又は前記第３のポンプを動作させる通常���転の制御をし、(ｂ)前記受付部が前記第１の非常運転の選択を受け付けた場合、前記第１の開閉弁を閉じ、前記第２の開閉弁を閉じ、前記第３の開閉弁を開け、前記逃し弁を開け、前記第４の開閉弁を閉じ、前記第５の開閉弁を閉じ、前記第６の開閉弁を開け、前記第７の開閉弁を閉じ、前記第８の開閉弁を閉じ、前記第９の開閉弁を開け、及び、前記第１のポンプと前記第２のポンプと前記第３のポンプとを動作させる第１の非常運転の制御をする運転制御部と、を備える。
【００４０】
本発明の第５の局面に係る貯湯式給湯装置では、貯湯式給湯装置の通常運転時と第１の非常運転時とで第１のポンプ、第２のポンプ及び第３のポンプの動作目的を変えている。すなわち、第３実施形態で説明しているように、通常運転時において、第１のポンプは、貯湯タンクとヒートポンプ装置との間で水を循環させる水流を発生させ、第２のポンプは、貯湯タンクとフロ追い炊き用の熱交換器との間で湯水を循環させる水流を発生させ、第３のポンプは、浴槽とフロ追い炊き用の熱交換器との間で湯水を循環させる水流を発生させる。これに対して、第１の非常運転時において、第１のポンプ、第２のポンプ及び第３のポンプは、貯湯タンクに貯留されている湯水を非常用取水栓に送る水流を発生させる。
【００４１】
本発明の第５の局面に係る貯湯式給湯装置によれば、第１の非常運転を選択することにより、貯湯タンクに貯留されている湯水を第１のポンプ、第２のポンプ及び第３のポンプで加圧して、非常用取水栓に導くこができる。このため、非常時専用のポンプを設けることなく、非常用水を供給することができる。
【００４２】
第１の非常運転では、第１の開閉弁が閉じられており、貯湯タンクの湯水が減るので、貯湯タンク内に負圧が発生する。負圧により貯湯タンクが凹んで壊れる可能性がある。そこで、逃し弁を開けて、貯湯タンク内の負圧を貯湯タンクの外部に逃している。
【００４３】
また、本発明の第５の局面に係る貯湯式給湯装置は、以下の作用効果も有する。
【００４４】
この貯湯式給湯装置によれば、貯湯タンクに貯留されている湯水を第１のポンプ、第２のポンプ及び第３のポンプで加圧するので、第１のポンプだけで加圧する場合や第１のポンプ及び第２のポンプで加圧する場合と比べて、非常用水の水圧を上げることができる。
【００４５】
この貯湯式給湯装置によれば、貯湯タンクに貯留されている湯水を非常用水として利用するので、貯湯タンクに供給される水道水が断水している場合でも、非常用水を供給することができる。
【００４６】
この貯湯式給湯装置によれば、第１のポンプ、第２のポンプ及び第３のポンプを利用して非常用水を供給するので、非常用水供給用の専用のポンプを設置する場合に比べて、コストを下げることができる。
【００４７】
上記構成において、前記受付部は、前記貯湯タンクに供給される水道水を非常用水として供給する第２の非常運転を受け付け、前記運転制御部は、(ｃ)前記受付部が前記第２の非常運転の選択を受け付けた場合、前記第１の開閉弁を開け、前記第２の開閉弁を閉じ、前記第３の開閉弁を開け、前記逃し弁を閉じ、前記第４の開閉弁を閉じ、前記第５の開閉弁を閉じ、前記第６の開閉弁を開け、前記第７の開閉弁を閉じ、前記第８の開閉弁を閉じ、前記第９の開閉弁を開け、及び、前記第１のポンプと前記第２のポンプと前記第３のポンプとを動作させる第２の非常運転の制御をする。
【００４８】
この構成によれば、第２の非常運転において、第３実施形態で説明しているように、第１の配管から貯湯タンクに供給された水道水を、第１のポンプ、第２のポンプ及び第３のポンプで加圧して、非常用取水栓に導くこができる。
【００４９】
第１の非常運転では、貯湯タンクに貯留されている湯水が無くなれば、非常用水を供給できなくなる。これに対して、第２の非常運転では  第１の配管から貯湯タンクに供給された水道水を非常用水として利用するので、第１の配管から貯湯タンクに水道水が供給されている限り、非常用水を供給することができる。
【００５０】
なお、第２の非常運転では、第１の開閉弁が開けられているので、通常運転と同様に第１の配管から水道水が貯湯タンクに供給される。よって、通常運転と同様に、逃し弁を閉じている。
【００５１】
本発明の第６の局面に係る貯湯式給湯装置は、ヒートポンプ装置と、前記ヒートポンプ装置で加熱された水を貯留する貯湯タンクと、前記貯湯タンクに水道水を導く第１の配管と、前記貯湯タンクから前記ヒートポンプ装置に水を導き、かつ前記ヒートポンプ装置で加熱された水を前記貯湯タンクに導く第２の配管と、前記貯湯タンクの水を前記ヒートポンプ装置に送り、前記ヒートポンプ装置で加熱された水を前記貯湯タンクに送る水流を、前記第２の配管で発生させる第１のポンプと、前記第１のポンプより下流側で前記第２の配管に配置され、弁が電気的に駆動される第２の開閉弁と、前記第１のポンプと前記第２の開閉弁との間で前記第２の配管と接続された第３の配管と、前記第３の配管に配置され、弁が電気的に駆動される第３の開閉弁と、風呂追い炊き用の熱交換器と、前記貯湯タンクから前記熱交換器に湯水を導き、かつ前記熱交換器で熱を奪われた湯水を前記貯湯タンクに導く第４の配管と、前記貯湯タンクの湯水を前記熱交換器に送り、前記熱交換器で熱を奪われた湯水を前記貯湯タンクに送る水流を、前記第４の配管で発生させる第２のポンプと、前記第２のポンプより上流側で前記第４の配管に配置され、弁が電気的に駆動される第４の開閉弁と、前記第２のポンプより下流側で前記第４の配管に配置され、弁が電気的に駆動される第５の開閉弁と、を備え、前記第３の配管は、前記第４の開閉弁と前記第２のポンプとの間で前記第４の配管に接続されており、さらに、前記第２のポンプと前記第５の開閉弁との間で前記第４の配管に接続されている第５の配管と、前記第５の配管に配置され、弁が電気的に駆動される第６の開閉弁と、浴槽から前記熱交換器を通り前記浴槽に湯水を導く第６の配管と、前記浴槽の湯水を前記熱交換器に送り、前記熱交換器で加熱された湯水を前記浴槽に送る水流を、前記第６の配管で発生させる第３のポンプと、前記第３のポンプより上流側で前記第６の配管に配置され、弁が電気的に駆動される第７の開閉弁と、前記第３のポンプより下流側で前記第６の配管に配置され、弁が電気的に駆動される第８の開閉弁と、前記第５の配管は、前記第７の開閉弁と前記第３のポンプとの間で前記第６の配管に接続されており、前記第３のポンプと前記第８の開閉弁との間で前記第６の配管に接続されている第７の配管と、前記第７の配管に配置され、弁が電気的に駆動される第９の開閉弁と、前記第９の開閉弁より下流側で前記第７の配管に取り付けられ、非常用ホースと接続可能な非常用取水栓と、前記貯湯タンクに供給される水道水を非常用水として供給する非常運転の選択を受け付ける受付部と、(ａ)通常時、前記第２の開閉弁を開け、前記第３の開閉弁を閉じ、前記第４の開閉弁を開け、前記第５の開閉弁を開け、前記第６の開閉弁を閉じ、前記第７の開閉弁を開け、前記第８の開閉弁を開け、前記第９の開閉弁を閉じ、及び、予め定められた条件で前記第１のポンプ、前記第２のポンプ及び／又は前記第３のポンプを動作させる通常運転の制御をし、(ｂ)前記受付部が前記非常運転の選択を受け付けた場合、前記第２の開閉弁を閉じ、前記第３の開閉弁を開け、前記第４の開閉弁を閉じ、前記第５の開閉弁を閉じ、前記第６の開閉弁を開け、前記第７の開閉弁を閉じ、��記第８の開閉弁を閉じ、前記第９の開閉弁を開け、及び、前記第１のポンプと前記第２のポンプと前記第３のポンプとを動作させる非常運転の制御をする運転制御部と、を備える。
【００５２】
本発明の第６の局面に係る貯湯式給湯装置は、本発明の第５の局面に係る貯湯式給湯装置での第２の非常運転を非常運転とした態様であり、本発明の第５の局面に係る貯湯式給湯装置での第２の非常運転と同様の作用効果を有する。
【００５３】
本発明の第１〜第６の局面に係る貯湯式給湯装置において、前記非常用取水栓は、前記非常用水を消火用水として供給する消火用取水栓である。
【００５４】
この構成は、非常用水を消火用水として用いる態様である。
【発明の効果】
【００５５】
本発明によれば、非常時専用のポンプを設けることなく、非常用水を供給することができる。
【図面の簡単な説明】
【００５６】
【図１】本発明の第１実施形態に係る貯湯式給湯装置の構成図である。
【図２】第１実施形態において、通常運転、第１の非常運転、第２の非常運転における第１の開閉弁〜第３の開閉弁及び逃し弁の開閉状態を表で示した図である。
【図３】第１実施形態の第１の非常運転において、貯湯タンクユニット内の水の流れを示す図である。
【図４】第１実施形態の第２の非常運転において、貯湯タンクユニット内の水の流れを示す図である。
【図５】本発明の第２実施形態に係る貯湯式給湯装置の構成図である。
【図６】第２実施形態において、通常運転、第１の非常運転、第２の非常運転における第１の開閉弁〜第６の開閉弁及び逃し弁の開閉状態を表で示した図である。
【図７】第２実施形態の第１の非常運転において、貯湯タンクユニット内の水の流れを示す図である。
【図８】第２実施形態の第２の非常運転において、貯湯タンクユニット内の水の流れを示す図である。
【図９】本発明の第３実施形態に係る貯湯式給湯装置の構成図である。
【図１０】第３実施形態において、通常運転、第１の非常運転、第２の非常運転における第１の開閉弁〜第９の開閉弁及び逃し弁の開閉状態を表で示した図である。
【図１１】第３実施形態の第１の非常運転において、貯湯タンクユニット内の水の流れを示す図である。
【図１２】第３実施形態の第２の非常運転において、貯湯タンクユニット内の水の流れを示す図である。
【発明を実施するための形態】
【００５７】
以下、図面に基づいて本発明の実施形態につき詳細に説明する。図１は、本発明の第１実施形態に係る貯湯式給湯装置１ａの構成図である。貯湯式給湯装置１ａは、貯湯タンクユニット３とヒートポンプユニット５(ヒートポンプ装置の一例)とを備える。
【００５８】
貯湯タンクユニット３は、貯湯タンク２１、熱交換器４５、制御基盤５０、第１のポンプＰ１、第２のポンプＰ２、第３のポンプＰ３、各種配管(例えば、配管２２，２５，２６)及び各種弁(例えば、第１の開閉弁Ｖ１、第２の開閉弁Ｖ２、減圧弁２４)を備える。
【００５９】
貯湯タンク２１は、大容量(例えば、３７０リットルから５６０リットル)のタンクであり、ヒートポンプユニット５で加熱された水を貯留する。
【００６０】
貯湯タンク２１の下部には、配管２２(第１の配管の一例)の一端が接続されている。配管２２の他端は、貯湯タンクユニット３の外部に位置する外部配管８と接続される。外部配管８には、水道水が流れており、水道水は外部配管８及び配管２２を通して、貯湯タンク２１に導かれる。外部配管８には、元弁９が配置されている。元弁９を開ければ、外部配管８を通して水道水を貯湯タンク２１に供給可能となる。元弁９を閉めれば、外部配管８を通して貯湯タンク２１へ水道水が供給されない。
【００６１】
配管２２には、第１の開閉弁Ｖ１が配置されている。第１の開閉弁Ｖ１の機能は、後で説明する。
【００６２】
貯湯タンク２１と第１の開閉弁Ｖ１との間において、配管２２には、減圧弁２４が配置されている。減圧弁２４は、配管２２から貯湯タンク２１に流れる水道水の圧力を所定圧力に保つ機能を有する、これにより、配管２２以降にある貯湯タンク２１や配管等の水圧を許容圧力より下げて、これらの破損を防止する。
【００６３】
貯湯タンク２１の下部には、配管２５の一端が接続されている。配管２５の他端は、ヒートポンプユニット５に備えられる熱交換器１２の流路１２ａの一端に接続されている。配管２５は、貯湯タンク２１から熱交換器１２の流路１２ａに水を導く。
【００６４】
配管２６は、流路１２ａの他端と貯湯タンク２１の上部とを接続する。配管２６は、熱交換器１２の流路１２ａで熱交換されて加熱された水を貯湯タンク２１に導く。配管２５及び配管２６により、第２の配管の一例が構成される。第２の配管は、貯湯タンク２１からヒートポンプユニット５に水を導き、かつヒートポンプユニット５で加熱された水を貯湯タンク２１に導く。
【００６５】
配管２５には、第１のポンプＰ１が取り付けられている。第１のポンプＰ１は、貯湯タンク２１の水をヒートポンプユニット５に送り、ヒートポンプユニット５で加熱された水を貯湯タンク２１に送る水流を、配管２５，２６で発生させる。
【００６６】
ここで、ヒートポンプユニット５について簡単に説明する。ヒートポンプユニット５は、圧縮機１１、熱交換器１２、膨張弁１３、熱交換器１４及び送風機１５を備える。圧縮機１１、熱交換器１２、膨張弁１３及び熱交換器１４は、冷媒を循環させる閉管路で連結されている。
【００６７】
圧縮機１１は、ＨＦＣやＣＯ２等の冷媒を圧縮する。熱交換器１２は、冷媒と水との熱交換を行う。膨張弁１３は、熱交換後の冷媒を減圧する。熱交換器１４は、冷媒と空気との熱交換を行う。送風機１５は、熱交換器１４に熱交換用の空気を送風する。
【００６８】
ヒートポンプユニット５が駆動すると、冷媒が圧縮機１１で圧縮されて高温高圧となる。この高温高圧の冷媒と、第１のポンプＰ１により貯湯タンク２１からヒートポンプユニット５に送られた水とが、熱交換器１２において熱交換される。これにより、貯湯タンク２１からからの水は、熱が与えられて湯水となり、貯湯タンク２１へ戻される。熱交換後の冷媒は、膨張弁１３で低温低圧とされ、熱交換器１４で空気の熱が与えられて常態に復帰する。このような冷媒の閉サイクルによって、貯湯タンク２１内の水は加熱される。
【００６９】
貯湯タンクユニット３の説明に戻る。貯湯タンク２１と第１のポンプＰ１との間において、配管２５には、配管２７の一端が接続されている。配管２７の他端には、非常用取水栓２８が取り付けられている。断水が発生した場合、非常用取水栓２８を開けることにより、貯湯タンク２１の湯水を生活用に利用することができる。
【００７０】
第１のポンプＰ１とヒートポンプユニット５との間において、配管２５には、第２の開閉弁Ｖ２が配置されている。言い換えれば、第２の開閉弁Ｖ２は、第１のポンプＰ１より下流側で配管２５に配置されている。第２の開閉弁Ｖ２の機能は、後で説明する。
【００７１】
第１のポンプＰ１と第２の開閉弁Ｖ２との間において、配管２５には、配管２９(第３の配管の一例)の一端が接続されている。配管２９には、第３の開閉弁Ｖ３が配置されている。配管２９の他端には、消火ホース６(非常用ホースの一例)と接続可能な消火用取水栓３０(非常用取水栓の一例)が取り付けられている。言い換えれば、消火用取水栓３０は、第３の開閉弁Ｖ３より下流側で配管２９に取り付けられている。第３の開閉弁Ｖ３及び消火用取水栓３０の機能は、後で説明する。
【００７２】
貯湯タンク２１の上部には、配管３１の一端が接続されている。配管３１の他端には、逃し弁３２が取り付けられている。逃し弁３２は、貯湯タンク２１の湯水により貯湯タンク２１の圧力が設定圧力より大きくなった場合、その圧力を外部に逃す機能等を有する。
【００７３】
また、貯湯タンク２１の上部には、配管３３の一端が接続されている。配管３３の他端には、逃し弁ＲＶが取り付けられている。逃し弁ＲＶの機能は、後で説明する。
【００７４】
さらに、貯湯タンク２１の上部には、配管３４の一端が接続されている。配管３４の他端は、湯水を混合する混合弁３５の入力ポート３５ａに接続されている。混合弁３５の入力ポート３５ｂには、配管３６の一端が接続されている。配管３６の他端は、貯湯タンク２１と減圧弁２４との間において、配管２２と接続されている。混合弁３５の出力ポート３５ｃには、配管３７の一端が接続されている。配管３７の他端は、カラン３８に接続されている。入力ポート３５ａ，３５ｂの開口度を調節する制御をすることにより、ユーザが設定した温度の湯水が、出力ポート３５ｃ及び配管３７を通してカラン３８に送られる。
【００７５】
配管３４には、配管３９の一端が接続されている。配管３９の他端は、湯水を混合する混合弁４０の入力ポート４０ａに接続されている。混合弁４０の入力ポート４０ｂには、配管４１の一端が接続されている。配管４１の他端は、配管３６と接続されている。混合弁４０の出力ポート４０ｃには、配管４２の一端が接続されている。配管４２の他端は、浴槽７の風呂循環口７ａに接続されている。入力ポート４０ａ，４０ｂの開口度を調節する制御をすることにより、ユーザが設定した温度の湯水が、出力ポート４０ｃ及び配管４２を通して浴槽７に送られる。
【００７６】
配管４２には、注湯弁４３が配置されている。注湯弁４３は、浴槽の湯が配管４２を逆流するのを防止する。
【００７７】
貯湯タンク２１の上部には、配管４４の一端が接続されている。配管４４の他端は、熱交換器４５の流路４５ａの一端に接続されている。流路４５ａの他端は、配管４６の一端が接続され、配管４６の他端は、貯湯タンク２１の側部で貯湯タンク２１と接続されている。配管４４及び配管４６により、第４の配管の一例が構成される。第４の配管は、貯湯タンク２１から熱交換器４５に湯水を導き、かつ熱交換器４５で熱を奪われた湯水を貯湯タンク２１に導く。熱交換器４５は風呂追い炊きに用いられる。
【００７８】
配管４６には、第２のポンプＰ２が取り付けられている。第２のポンプＰ２は、貯湯タンク２１の上部の湯水を熱交換器４５の流路４５ａに送り、熱交換器４５で熱交換されて温度が下がった湯水を貯湯タンク２１に送る水流を、配管４４，４６で発生させる。
【００７９】
注湯弁４３と風呂循環口７ａとの間において、配管４２には、配管４７の一端が接続されている。配管４７の他端は、熱交換器４５の流路４５ｂの一端と接続されている。流路４５ｂの他端は、配管４８の一端と接続されている。配管４８の他端は、風呂循環口７ａに接続されている。配管４２の一部(風呂循環口７ａから注湯弁４３までの区間)、配管４７及び配管４８により第６の配管の一例が構成される。第６の配管は、浴槽７から熱交換器４５を通り浴槽７に湯水を導く。
【００８０】
配管４８には、第３のポンプＰ３が取り付けられている。第３のポンプＰ３は、浴槽７の湯水を熱交換器４５の流路４５ｂに送り、熱交換器４５で熱交換されて温度が上がった湯水を浴槽７に送る水流を、配管４８、配管４７及び配管４２の一部(風呂循環口７ａから注湯弁４３までの区間)に発生させる。
【００８１】
制御基盤５０は、選択ボタン５１、選択ボタン５２、受付部５３、運転制御部５４を備える。
【００８２】
運転制御部５４は、貯湯式給湯装置１ａについて、通常運転、第１の非常運転及び第２の非常運転の制御をする。
【００８３】
通常運転は、台所や風呂場に設置されているリモコン(不図示)からの指令に基づいて、貯湯タンク２１に貯留されている湯水を浴槽７やカラン３８に供給する運転や、深夜に、自動的に貯湯タンク２１の湯水をヒートポンプユニット５により設定温度まで加熱する運転をいう。
【００８４】
第１の非常運転は、貯湯タンク２１に貯留されている湯水を消火用水(非常用水の一例)として供給する運転をいう。第１の非常運転は、貯湯タンク２１に供給される水道水が断水している場合に実行される。
【００８５】
第２の非常運転は、貯湯タンク２１に供給される水道水を消火用水(非常用水の一例)として供給する運転をいう。第２の非常運転は、貯湯タンク２１に供給される水道水が断水していない場合に実行される。
【００８６】
受付部５３は、選択ボタン５１が押下されると、第１の非常運転の選択を受け付け、選択ボタン５２が押下されると、第２の非常運転の選択を受け付ける。
【００８７】
運転制御部５４は、選択ボタン５１，５２のいずれも押下されていない場合、通常運転の制御をし、選択ボタン５１が押下された場合、通常運転を停止して第１の非常運転の制御をし、選択ボタン５２が押下された場合、通常運転を停止して第２の非常運転の制御をする。
【００８８】
貯湯タンクユニット３には、蓄電池６０が取り付けられている。蓄電池６０は、第１の非常運転時や第２の非常運転時に停電している場合、第１のポンプＰ１、第１の開閉弁Ｖ１、第２の開閉弁Ｖ２、第３の開閉弁Ｖ３、及び逃し弁ＲＶを駆動する電源となる。
【００８９】
第１の開閉弁Ｖ１、第２の開閉弁Ｖ２、第３の開閉弁Ｖ３及び逃し弁ＲＶは、電気的に駆動される弁であり、通常運転、第１の非常運転、第２の非常運転に応じて、運転制御部５４からの信号により、動作する電磁弁である。図２は、第１実施形態において、通常運転、第１の非常運転、第２の非常運転における第１の開閉弁Ｖ１、第２の開閉弁Ｖ２、第３の開閉弁Ｖ３及び逃し弁ＲＶの開閉状態を表で示した図である。
【００９０】
まず、通常運転から説明する。通常運転時において、運転制御部５４は、第１の開閉弁Ｖ１を開け、第２の開閉弁Ｖ２を開け、第３の開閉弁Ｖ３を閉じ、及び逃し弁ＲＶを閉じる制御をする。これより、配管２２(第１の配管)、貯湯タンク２１及び配管２５(第２の配管)を通り、ヒートポンプユニット５へ導かれる流路が形成される。
【００９１】
運転制御部５４は、深夜(予め定められた条件)に、第１のポンプＰ１を動作する制御をする。第１のポンプＰ１は、貯湯タンク２１の水をヒートポンプユニット５に送り、ヒートポンプユニット５で加熱された水を貯湯タンク２１に送る水流を、配管２５，２６で発生させる。これにより、貯湯タンク２１の水がヒートポンプユニット５に送られ、ヒートポンプユニット５で加熱された水が貯湯タンク２１に戻されて、貯湯タンク２１に湯水が貯留される。
【００９２】
また、運転制御部５４は、風呂の追い炊き時(予め定められた条件)に、第２のポンプＰ２及び第３のポンプＰ３を動作する制御をする。第２のポンプＰ２は、貯湯タンク２１の湯水を熱交換器４５に送り、熱交換器４５で熱が奪われた湯水を貯湯タンク２１に送る水流を、配管４４，４６で発生させる。第３のポンプＰ３は、浴槽７の湯水を熱交換器４５に送り、熱交換器４５で加熱された湯水を浴槽７に送る水流を、配管４８、配管４７及び配管４２の一部(風呂循環口７ａから注湯弁４３までの区間)で発生させる。よって、浴槽７の湯水が追い炊きされる。
【００９３】
次に、第１の非常運転を説明する。図３は、第１の非常運転において、貯湯タンクユニット３内の水の流れを示す図であり、水の流れを示す点線及び選択ボタン５１が選択されたことを示す斜線以外は、図１と同じである。第１の非常運転では、貯湯タンク２１に貯留されている湯水が消火用水に利用される。
【００９４】
第１の非常運転時において、運転制御部５４は、第１の開閉弁Ｖ１を閉じ、第２の開閉弁Ｖ２を閉じ、第３の開閉弁Ｖ３を開け、及び逃し弁ＲＶを開ける制御をする。これより、貯湯タンク２１、配管２５の一部(貯湯タンク２１から第１のポンプＰ１を通り、第２の開閉弁Ｖ２までの区間)及び配管２９で構成される流路が形成される。第１の開閉弁Ｖ１が閉じられており、貯湯タンク２１の水が減るので、貯湯タンク２１に負圧が発生する。そこで、逃し弁ＲＶを開けることにより、貯湯タンク２１の負圧を外部に逃して、貯湯タンク２１が凹むのを防止している。
【００９５】
運転制御部５４は、第１のポンプＰ１を動作する制御をする。これにより、貯湯タンク２１に貯留されている湯水を、第１のポンプＰ１で加圧して、消火ホース６と接続可能な消火用取水栓３０に導くこができる。
【００９６】
次に、第２の非常運転を説明する。図４は、第２の非常運転において、貯湯タンクユニット３内の水の流れを示す図であり、水の流れを示す点線及び選択ボタン５２が選択されたことを示す斜線以外は、図１と同じである。第１の非常運転では第１の開閉弁Ｖ１を閉じているが、第２の非常運転では第１の開閉弁Ｖ１が開けられる。よって、配管２２(第１の配管)から貯湯タンク２１に供給された水道水を消化用水として利用することができる。
【００９７】
第２の非常運転時において、運転制御部５４は、第１の開閉弁Ｖ１を開け、第２の開閉弁Ｖ２を閉じ、第３の開閉弁Ｖ３を開け、及び逃し弁ＲＶを閉じる制御をする。これにより、配管２２、貯湯タンク２１、配管２５の一部(貯湯タンク２１から第１のポンプＰ１を通り、第２の開閉弁Ｖ２までの区間)及び配管２９で構成される流路が形成される。
【００９８】
運転制御部５４は、第１のポンプＰ１を動作する制御をする。これにより、配管２２から貯湯タンク２１に供給された水道水を、第１のポンプＰ１で加圧して、消火ホース６と接続可能な消火用取水栓３０に導くこができる。
【００９９】
なお、第２の非常運転では、第１の開閉弁Ｖ１が開けられているので、通常運転と同様に配管２２から水道水が貯湯タンク２１に供給される。よって、通常運転と同様に、逃し弁ＲＶを閉じている。後で説明する第２及び第３実施形態での第２の非常運転でも同様のことが言える。
【０１００】
第１実施形態の主な効果を説明する。第１実施形態に係る貯湯式給湯装置１ａでは、貯湯式給湯装置１ａの通常運転時と非常運転時(第１の非常運転時、第２の非常運転時)とで第１のポンプＰ１の動作目的を変えている。貯湯式給湯装置１ａによれば、第１の非常運転を選択することにより、貯湯タンク２１に貯留されている湯水を第１のポンプＰ１で加圧して、消火用取水栓３０に導くこができ、また、第２の非常運転を選択することにより、配管２２から貯湯タンク２１に供給された水道水を第１のポンプＰ１で加圧して、消火用取水栓３０に導くこができる。このため、非常時専用のポンプを設けることなく、消火用水を供給することができる。
【０１０１】
第１の非常運転では、貯湯タンク２１に貯留されている湯水を消火用水として利用するので、貯湯タンク２１に供給される水道水が断水している場合でも、消火用水を供給することができる。後で説明する第２及び第３実施形態での第１の非常運転でも同様のことが言える。
【０１０２】
第１の非常運転では、貯湯タンク２１に貯留されている湯水が無くなれば、消火用水を供給できなくなる。これに対して、第２の非常運転では、配管２２から貯湯タンク２１に供給された水道水を消火用水として利用するので、配管２２から貯湯タンク２１に水道水が供給されている限り、消火用水を供給することができる。後で説明する第２及び第３実施形態での第２の非常運転でも同様のことが言える。
【０１０３】
貯湯式給湯装置１ａの第１の非常運転では、消火用水が通る流路(すなわち、貯湯タンク２１、配管２５の一部及び配管２９で構成される流路)は、汚水が流れない流路である。従って、貯湯式給湯装置１ａを、消火用水を供給する装置として使用をした後も、通常の給湯装置として使用をすることができる。
【０１０４】
同様に、第２の非常運転では、消火用水が通る流路(すなわち、配管２２、貯湯タンク２１、配管２５の一部及び配管２９で構成される流路)は、汚水が流れない流路である。従って、貯湯式給湯装置１ａを、消火用水を供給する装置として使用をした後も、通常の給湯装置として使用をすることができる。
【０１０５】
貯湯式給湯装置１ａによれば、第１のポンプＰ１を利用して消火用水を供給するので、消火用水供給用の専用のポンプを設置する場合に比べて、コストを下げることができる。
【０１０６】
第１実施形態に係る貯湯式給湯装置１ａによれば、停電発生時に、第１の開閉弁Ｖ１、第２の開閉弁Ｖ２、第３の開閉弁Ｖ３、逃し弁ＲＶ及び第１のポンプＰ１を駆動する電源となる蓄電池６０を備えている。従って、第１の非常運転時や第２の非常運転時に停電が発生しても、消火用水を供給することができる。
【０１０７】
次に、第２実施形態を説明する。第２実施形態については、第１実施形態との相違点を中心に説明し、共通点については説明を省略する。図５は、第２実施形態に係る貯湯式給湯装置１ｂの構成図である。第２実施形態では、第１の非常運転や第２の非常運転において、第１のポンプＰ１に加えて第２のポンプＰ２を使用して、消火用水を供給する。
【０１０８】
貯湯式給湯装置１ｂの貯湯タンクユニット３は、第４の開閉弁Ｖ４、第５の開閉弁Ｖ５、第６の開閉弁Ｖ６及び配管６１を備える。配管４４には、第４の開閉弁Ｖ４が配置されている。言い換えれば、第４の開閉弁Ｖ４は、第２のポンプＰ２より上流側で配管４４(第４の配管の一例)に配置されている。配管４６には、第５の開閉弁Ｖ５が配置されている。言い換えれば、第５の開閉弁Ｖ５は、第２のポンプＰ２より下流側で配管４６(第４の配管の一例)に配置されている。
【０１０９】
貯湯式給湯装置１ｂの貯湯タンクユニット３において、配管２９(第３の配管の一例)は、消火用取水栓３０(非常用取水栓の一例)に接続されておらず、第４の開閉弁Ｖ４と第２のポンプＰ２との間で配管４６に接続されている。
【０１１０】
配管６１(第５の配管の一例)の一端は、第２のポンプＰ２と第５の開閉弁Ｖ５との間で配管４６に接続されている。配管６１には、第６の開閉弁Ｖ６が配置されている。配管６１の他端には、消火ホース６(非常用ホースの一例)と接続可能な消火用取水栓３０が取り付けられている。言い換えれば、消火用取水栓３０は、第６の開閉弁Ｖ６より下流側で配管６１に取り付けられている。
【０１１１】
第４の開閉弁Ｖ４、第５の開閉弁Ｖ５及び第６の開閉弁Ｖ６は、電気的に駆動される弁であり、通常運転、第１の非常運転、第２の非常運転に応じて、運転制御部５４からの信号により、動作する電磁弁である。
【０１１２】
図６は、第２実施形態において、通常運転、第１の非常運転、第２の非常運転における第１の開閉弁Ｖ１、第２の開閉弁Ｖ２、第３の開閉弁Ｖ３、逃し弁ＲＶ、第４の開閉弁Ｖ４、第５の開閉弁Ｖ５及び第６の開閉弁Ｖ６の開閉状態を表で示した図である。
【０１１３】
まず、通常運転から説明する。通常運転時において、運転制御部５４は、第１の開閉弁Ｖ１を開け、第２の開閉弁Ｖ２を開け、第３の開閉弁Ｖ３を閉じ、及び逃し弁ＲＶを閉じる第１の制御をし、第４の開閉弁Ｖ４を開け、第５の開閉弁Ｖ５を開け、及び第６の開閉弁Ｖ６を閉じる第２の制御をする。
【０１１４】
第１の制御によって、配管２２、貯湯タンク２１及び配管２５を通り、ヒートポンプユニット５へ導かれる流路が形成される。予め定められた条件(例えば、深夜)で、第１のポンプＰ１を動作する制御がされる。第１のポンプＰ１は、貯湯タンク２１の水をヒートポンプユニット５に送り、ヒートポンプユニット５で加熱された水を貯湯タンク２１に送る水流を、配管２５，２６で発生させる。これにより、貯湯タンク２１の水がヒートポンプユニット５に送られ、ヒートポンプユニット５で加熱された水が貯湯タンク２１に戻されて、貯湯タンク２１に湯水が貯留される。
【０１１５】
第２の制御によって、配管４４，４６に配置された開閉弁(第４の開閉弁Ｖ４、第５の開閉弁Ｖ５)が開けられる。予め定められた条件(風呂追い炊き)で、運転制御部５４は、第２のポンプＰ２及び第３のポンプＰ３を動作する制御をする。第２のポンプＰ２は、貯湯タンク２１の湯水を熱交換器４５に送り、熱交換器４５で熱を奪われた湯水を貯湯タンク２１に送る水流を、配管４４，４６で発生させる。これにより、貯湯タンク２１の湯水が熱交換器４５に送られ、熱交換器４５で熱を奪われた湯水が貯湯タンク２１に戻される。第３のポンプＰ３は、浴槽７の湯水を熱交換器４５に送り、熱交換器４５で加熱された湯水を浴槽７に送る水流を、配管４８、配管４７及び配管４２の一部(風呂循環口７ａから注湯弁４３までの区間)で発生させる。よって、浴槽７の湯水が追い炊きされる。
【０１１６】
次に、第１の非常運転を説明する。図７は、第１の非常運転において、貯湯タンクユニット３内の水の流れを示す図であり、水の流れを示す点線及び選択ボタン５１が選択されたことを示す斜線以外は、図５と同じである。第１の非常運転では、貯湯タンク２１に貯留されている湯水が消火用水に利用される。
【０１１７】
第１の非常運転時において、運転制御部５４は、第１の開閉弁Ｖ１を閉じ、第２の開閉弁Ｖ２を閉じ、第３の開閉弁Ｖ３を開け、及び逃し弁ＲＶを開ける第３の制御をし、第４の開閉弁Ｖ４を閉じ、第５の開閉弁Ｖ５を閉じ、及び第６の開閉弁Ｖ６を開ける第４の制御をする。
【０１１８】
第３の制御によって、貯湯タンク２１、配管２５の一部(貯湯タンク２１から第１のポンプＰ１を通り、第２の開閉弁Ｖ２までの区間)及び配管２９で構成される流路が形成される。第４の制御によって、配管４６の一部(第４の開閉弁Ｖ４から第２のポンプＰ２を通り、第５の開閉弁Ｖ５までの区間)と配管６１とで構成される流路が形成される。
【０１１９】
配管２９(第３の配管の一例)は、第４の開閉弁Ｖ４と第２のポンプＰ２との間で配管４６(第４の配管の一例)に接続されているので、上記二つの流路がつながる。そして、第１のポンプＰ１及び第２のポンプＰ２を動作する制御がされる。これにより、貯湯タンク２１に貯留されている湯水を第１のポンプＰ１及び第２のポンプＰ２で加圧して、消火用取水栓３０に導くこができる。
【０１２０】
第１の非常運転では、第１の開閉弁Ｖ１が閉じられおり、貯湯タンク２１の湯水が減るので、貯湯タンク２１内に負圧が発生する。負圧により貯湯タンク２１が凹んで壊れる可能性がある。そこで、逃し弁ＲＶを開けて、貯湯タンク２１内の負圧を貯湯タンク２１の外部に逃している。
【０１２１】
次に、第２の非常運転を説明する。図８は、第２の非常運転において、貯湯タンクユニット３内の水の流れを示す図であり、水の流れを示す点線及び選択ボタン５２が選択されたことを示す斜線以外は、図５と同じである。第１の非常運転では第１の開閉弁Ｖ１を閉じているが、第２の非常運転では第１の開閉弁Ｖ１が開けられる。よって、配管２２(第１の配管)から貯湯タンク２１に供給された水道水を消化用水として利用することができる。
【０１２２】
第２の非常運転時において、運転制御部５４は、第１の開閉弁Ｖ１を開け、第２の開閉弁Ｖ２を閉じ、第３の開閉弁Ｖ３を開け、逃し弁ＲＶを閉じ、第４の開閉弁Ｖ４を閉じ、第５の開閉弁Ｖ５を閉じ、及び第６の開閉弁Ｖ６を開ける制御をする。これにより、配管２２、貯湯タンク２１、配管２５の一部(貯湯タンク２１から第１のポンプＰ１を通り、第２の開閉弁Ｖ２までの区間)、配管２９、配管４６の一部(第４の開閉弁Ｖ４から第２のポンプＰ２を通り、第５の開閉弁Ｖ５までの区間)、及び配管６１で構成される流路が形成される。そして、運転制御部５４は、第１のポンプＰ１及び第２のポンプＰ２を動作する制御をする。これにより、配管２２から貯湯タンク２１に供給された水道水を第１のポンプＰ１及び第２のポンプＰ２で加圧して、消火用取水栓３０に導くこができる。
【０１２３】
第２実施形態の主な効果を説明する。第２実施形態に係る貯湯式給湯装置１ｂでは、貯湯式給湯装置１ｂの通常運転時と非常運転時(第１の非常運転時、第２の非常運転時)とで第１のポンプＰ１及び第２のポンプＰ２の動作目的を変えている。貯湯式給湯装置１ｂによれば、第１の非常運転を選択することにより、貯湯タンク２１に貯留されている湯水を第１のポンプＰ１及び第２のポンプＰ２で加圧して、消火用取水栓３０に導くこができ、また、第２の非常運転を選択することにより、配管２２から貯湯タンク２１に供給された水道水を第１のポンプＰ１及び第２のポンプＰ２で加圧して、消火用取水栓３０に導くこができる。このため、非常時専用のポンプを設けることなく、消火用水を供給することができる。
【０１２４】
貯湯式給湯装置１ｂによれば、貯湯タンク２１に貯留されている湯水を第１のポンプＰ１及び第２のポンプＰ２で加圧するので、第１のポンプＰ１だけで加圧する場合と比べて、消火用水の水圧を上げることができる。
【０１２５】
貯湯式給湯装置１ｂの第１の非常運転では、消火用水が通る流路(すなわち、貯湯タンク２１、配管２５の一部、配管２９、配管４６の一部及び配管６１で構成される流路)は、汚水が流れない流路である。従って、貯湯式給湯装置１ｂを、消火用水を供給する装置として使用をした後も、通常の給湯装置として使用をすることができる。同様に、第２の非常運転では、消火用水が通る流路(すなわち、配管２２、貯湯タンク２１、配管２５の一部、配管２９、配管４６の一部及び配管６１で構成される流路)は、汚水が流れない流路である。従って、貯湯式給湯装置１ｂを、消火用水を供給する装置として使用をした後も、通常の給湯装置として使用をすることができる。
【０１２６】
貯湯式給湯装置１ｂによれば、第１のポンプＰ１及び第２のポンプＰ２を利用して消火用水を供給するので、消火用水供給用の専用のポンプを設置する場合に比べて、コストを下げることができる。
【０１２７】
貯湯式給湯装置１ｂによれば、停電発生時に、第１の開閉弁Ｖ１、第２の開閉弁Ｖ２、第３の開閉弁Ｖ３、第４の開閉弁Ｖ４、第５の開閉弁Ｖ５、第６の開閉弁Ｖ６及び逃し弁ＲＶ、並びに第１のポンプＰ１及び第２のポンプＰ２を駆動する電源となる蓄電池６０を備えている。従って、第１の非常運転時や第２の非常運転時に停電が発生しても、消火用水を供給することができる。
【０１２８】
次に、第３実施形態を説明する。第３実施形態については、第２実施形態との相違点を中心に説明し、共通点については説明を省略する。図９は、第３実施形態に係る貯湯式給湯装置１ｃの構成図である。第３実施形態では、第１の非常運転や第２の非常運転において、第１のポンプＰ１及び第２のポンプＰ２に加えて第３のポンプＰ３を使用して、消火用水を供給する。
【０１２９】
貯湯式給湯装置１ｃの貯湯タンクユニット３は、第７の開閉弁Ｖ７、第８の開閉弁Ｖ８、第９の開閉弁Ｖ９及び配管７１を備える。
【０１３０】
配管４８には、風呂循環口７ａと第３のポンプＰ３の間において、第７の開閉弁Ｖ７が配置されている。言い換えれば、第７の開閉弁Ｖ７は、第３のポンプＰ３より上流側で配管４８(第６の配管の一例)に配置されている。配管４８には、第３のポンプＰ３と熱交換器４５との間において、第８の開閉弁Ｖ８が配置されている。言い換えれば、第８の開閉弁Ｖ８は、第３のポンプＰ３より下流側で配管４８(第６の配管の一例)に配置されている。
【０１３１】
貯湯式給湯装置１ｃの貯湯タンクユニット３において、配管６１(第５の配管の一例)は、消火用取水栓３０(非常用取水栓の一例)に接続されておらず、第７の開閉弁Ｖ７と第３のポンプＰ３との間で配管４８に接続されている。
【０１３２】
配管７１(第７の配管の一例)の一端は、第３のポンプＰ３と第８の開閉弁Ｖ８との間で配管４８に接続されている。配管７１には、第９の開閉弁Ｖ９が配置されている。配管７１の他端には、消火ホース６(非常用ホースの一例)と接続可能な消火用取水栓３０が取り付けられている。言い換えれば、消火用取水栓３０は、第９の開閉弁Ｖ９より下流側で配管７１に取り付けられている。
【０１３３】
第７の開閉弁Ｖ７、第８の開閉弁Ｖ８及び第９の開閉弁Ｖ９は、電気的に駆動される弁であり、通常運転、第１の非常運転、第２の非常運転に応じて、運転制御部５４からの信号により、動作する電磁弁である。
【０１３４】
図１０は、第３実施形態において、通常運転、第１の非常運転、第２の非常運転における第１の開閉弁Ｖ１、第２の開閉弁Ｖ２、第３の開閉弁Ｖ３、逃し弁ＲＶ、第４の開閉弁Ｖ４、第５の開閉弁Ｖ５、第６の開閉弁Ｖ６、第７の開閉弁Ｖ７、第８の開閉弁Ｖ８及び第９の開閉弁Ｖ９の開閉状態を表で示した図である。
【０１３５】
まず、通常運転から説明する。通常運転時において、運転制御部５４は、第１の開閉弁Ｖ１を開け、第２の開閉弁Ｖ２を開け、第３の開閉弁Ｖ３を閉じ、及び逃し弁ＲＶを閉じる第１の制御をし、第４の開閉弁Ｖ４を開け、第５の開閉弁Ｖ５を開け、及び第６の開閉弁Ｖ６を閉じる第２の制御をし、第７の開閉弁Ｖ７を開け、第８の開閉弁Ｖ８を開け、及び第９の開閉弁Ｖ９を閉じる第３の制御をする。
【０１３６】
第１の制御によって、配管２２、貯湯タンク２１及び配管２５を通り、ヒートポンプユニット５へ導かれる流路が形成される。予め定められた条件(例えば、深夜)で、第１のポンプＰ１を動作する制御がされる。第１のポンプＰ１は、貯湯タンク２１の水をヒートポンプユニット５に送り、ヒートポンプユニット５で加熱された水を貯湯タンク２１に送る水流を、配管２５，２６で発生させる。これにより、貯湯タンク２１の水がヒートポンプユニット５に送られ、ヒートポンプユニット５で加熱された水が貯湯タンク２１に戻されて、貯湯タンク２１に湯水が貯留される。
【０１３７】
第２の制御によって、配管４４，４６に配置された開閉弁(第４の開閉弁Ｖ４、第５の開閉弁Ｖ５)が開けられる。予め定められた条件(風呂追い炊き)で、運転制御部５４は、第２のポンプＰ２を動作する制御をする。第２のポンプＰ２は、貯湯タンク２１の湯水を熱交換器４５に送り、熱交換器４５で熱を奪われた湯水を貯湯タンク２１に送る水流を、配管４４，４６で発生させる。これにより、貯湯タンク２１の湯水が熱交換器４５に送られ、熱交換器４５で熱を奪われた湯水が貯湯タンク２１に戻される。
【０１３８】
第３の制御によって、配管４８に配置された開閉弁(第７の開閉弁Ｖ７、第８の開閉弁Ｖ８)が開けられる。予め定められた条件(風呂追い炊き)で、運転制御部５４は、第３のポンプＰ３を動作する制御をする。第３のポンプＰ３は、浴槽７の湯水を熱交換器４５に送り、熱交換器４５で加熱された湯水を浴槽７に送る水流を、配管４８、配管４７及び配管４２の一部(風呂循環口７ａから注湯弁４３までの区間)で発生させる。これにより、浴槽７の湯水が熱交換器４５に送られ、熱交換器４５で加熱された湯水が浴槽に戻され、浴槽７の湯水が追い炊きされる。
【０１３９】
次に、第１の非常運転を説明する。図１１は、第１の非常運転において、貯湯タンクユニット３内の水の流れを示す図であり、水の流れを示す点線及び選択ボタン５１が選択されたことを示す斜線以外は、図９と同じである。第１の非常運転では、貯湯タンク２１に貯留されている湯水が消火用水に利用される。
【０１４０】
第１の非常運転時において、運転制御部５４は、第１の開閉弁Ｖ１を閉じ、第２の開閉弁Ｖ２を閉じ、第３の開閉弁Ｖ３を開け、及び逃し弁ＲＶを開ける第４の制御をし、第４の開閉弁Ｖ４を閉じ、第５の開閉弁Ｖ５を閉じ、及び第６の開閉弁Ｖ６を開ける第５の制御をし、第７の開閉弁Ｖ７を閉じ、第８の開閉弁Ｖ８を閉じ、及び第９の開閉弁Ｖ９を開ける制御をする。
【０１４１】
第４の制御によって、貯湯タンク２１、配管２５の一部(貯湯タンク２１から第１のポンプＰ１を通り、第２の開閉弁Ｖ２までの区間)及び配管２９で構成される流路が形成される。第５の制御によって、配管４６の一部(第４の開閉弁Ｖ４から第２のポンプＰ２を通り、第５の開閉弁Ｖ５までの区間)と配管６１とで構成される流路が形成される。第６の制御によって、配管４８の一部(第７の開閉弁Ｖ７から第３のポンプＰ３を通り、第８の開閉弁Ｖ８までの区間)と配管７１とで構成される流路が形成される。
【０１４２】
配管２９(第３の配管の一例)は、第４の開閉弁Ｖ４と第２のポンプＰ２との間で配管４６(第４の配管の一例)に接続されており、配管６１(第５の配管の一例)は、第７の開閉弁Ｖ７と第３のポンプＰ３との間で配管４８(第６の配管の一例)に接続されているので、上記三つの流路がつながる。そして、第１のポンプＰ１、第２のポンプＰ２及び第３のポンプＰ３を動作する制御がされる。これにより、貯湯タンク２１に貯留されている湯水を第１のポンプＰ１、第２のポンプＰ２及び第３のポンプＰ３で加圧して、消火用取水栓３０に導くこができる。
【０１４３】
第１の非常運転では、第１の開閉弁Ｖ１が閉じられており、貯湯タンク２１の湯水が減るので、貯湯タンク２１内に負圧が発生する。負圧により貯湯タンク２１が凹んで壊れる可能性がある。そこで、逃し弁ＲＶを開けて、貯湯タンク２１内の負圧を貯湯タンク２１の外部に逃している。
【０１４４】
次に、第２の非常運転を説明する。図１２は、第２の非常運転において、貯湯タンクユニット３内の水の流れを示す図であり、水の流れを示す点線及び選択ボタン５２が選択されたことを示す斜線以外は、図９と同じである。第１の非常運転では第１の開閉弁Ｖ１を閉じているが、第２の非常運転では第１の開閉弁Ｖ１が開けられる。よって、配管２２(第１の配管)から貯湯タンク２１に供給された水道水を消化用水として利用することができる。
【０１４５】
第２の非常運転時において、運転制御部５４は、第１の開閉弁Ｖ１を開け、第２の開閉弁Ｖ２を閉じ、第３の開閉弁Ｖ３を開け、逃し弁ＲＶを閉じ、第４の開閉弁Ｖ４を閉じ、第５の開閉弁Ｖ５を閉じ、第６の開閉弁Ｖ６を開け、第７の開閉弁Ｖ７を閉じ、第８の開閉弁Ｖ８を閉じ、及び第９の開閉弁Ｖ９を開ける制御をする。これにより、配管２２、貯湯タンク２１、配管２５の一部(貯湯タンク２１から第１のポンプＰ１を通り、第２の開閉弁Ｖ２までの区間)、配管２９、配管４６の一部(第４の開閉弁Ｖ４から第２のポンプＰ２を通り、第５の開閉弁Ｖ５までの区間)、配管６１、配管４８の一部(第７の開閉弁Ｖ７から第３のポンプＰ３を通り、第８の開閉弁Ｖ８までの区間)、及び配管７１で構成される流路が形成される。そして、運転制御部５４は、第１のポンプＰ１、第２のポンプＰ２及び第３のポンプＰ３を動作する制御をする。これにより、配管２２から貯湯タンク２１に供給された水道水を第１のポンプＰ１、第２のポンプＰ２及び第３のポンプＰ３で加圧して、消火用取水栓３０に導くこができる。
【０１４６】
第３実施形態の主な効果を説明する。第３実施形態に係る貯湯式給湯装置１ｃでは、貯湯式給湯装置１ｃの通常運転時と非常運転時(第１の非常運転時、第２の非常運転時)とで第１のポンプＰ１、第２のポンプＰ２及び第３のポンプＰ３の動作目的を変えている。貯湯式給湯装置１ｃによれば、第１の非常運転を選択することにより、貯湯タンク２１に貯留されている湯水を第１のポンプＰ１、第２のポンプＰ２及び第３のポンプＰ３で加圧して、消火用取水栓３０に導くこができ、また、第２の非常運転を選択することにより、配管２２から貯湯タンク２１に供給された水道水を第１のポンプＰ１、第２のポンプＰ２及び第３のポンプＰ３で加圧して、消火用取水栓３０に導くこができる。このため、非常時専用のポンプを設けることなく、消火用水を供給することができる。
る。
【０１４７】
貯湯式給湯装置１ｃによれば、貯湯タンク２１に貯留されている湯水を第１のポンプＰ１、第２のポンプＰ２及び第３のポンプＰ３で加圧するので、第１のポンプＰ１だけで加圧する場合や第１のポンプＰ１及び第２のポンプＰ２で加圧する場合と比べて、消火用水の水圧を上げることができる。
【０１４８】
貯湯式給湯装置１ｃによれば、第１のポンプＰ１、第２のポンプＰ２及び第３のポンプＰ３を利用して消火用水を供給するので、消火用水供給用の専用のポンプを設置する場合に比べて、コストを下げることができる。
【０１４９】
貯湯式給湯装置１ｃによれば、停電発生時に、第１の開閉弁Ｖ１、第２の開閉弁Ｖ２、第３の開閉弁Ｖ３、第４の開閉弁Ｖ４、第５の開閉弁Ｖ５、第６の開閉弁Ｖ６、第７の開閉弁Ｖ７、第８の開閉弁Ｖ８、第９の開閉弁Ｖ９及び逃し弁ＲＶ、並びに第１のポンプＰ１、第２のポンプＰ２及び第３のポンプＰ３を駆動する電源となる蓄電池６０を備えている。従って、第１の非常運転時や第２の非常運転時に停電が発生しても、消火用水を供給することができる。
【０１５０】
第１〜第３の実施形態では、第１の非常運転又は第２の非常運転を選択して実行できることを説明している。しかしながら、第１の非常運転と第２の非常運転のうち、第１の非常運転だけを実行できるようにしてもよいし、第２の非常運転だけを実行できるようにしてもよい。第２の非常運転だけを実行する態様では、貯湯タンク２１に貯留された湯水を消火用水として利用するのではなく、貯湯タンク２１に供給される水道水を消火用水として利用する。従って、第１の開閉弁Ｖ１及び逃し弁ＲＶを不要にすることができる。
【符号の説明】
【０１５１】
１ａ，１ｂ，１ｃ  貯湯式給湯装置
３  貯湯タンクユニット
５  ヒートポンプユニット(ヒートポンプ装置の一例)
６  消火ホース(非常用ホースの一例)
２２  配管(第１の配管の一例)
２５，２６  配管(第２の配管の一例)
３０  消火用取水栓(非常用取水栓の一例)
２９  配管(第３の配管の一例)
４４，４６  配管(第４の配管の一例)
４２，４７，４８  配管(第６の配管の一例)
６１  配管(第５の配管の一例)
７１  配管(第７の配管の一例)
Ｐ１  第１のポンプ
Ｐ２  第２のポンプ
Ｐ３  第３のポンプ
ＲＶ  逃し弁
Ｖ１  第１の開閉弁
Ｖ２  第２の開閉弁
Ｖ３  第３の開閉弁
Ｖ４  第４の開閉弁
Ｖ５  第５の開閉弁
Ｖ６  第６の開閉弁
Ｖ７  第７の開閉弁
Ｖ８  第８の開閉弁
Ｖ９  第９の開閉弁
【図１】
2013204842.tif 000003
【図２】
2013204842.tif 000004
【図３】
2013204842.tif 000005
【図４】
2013204842.tif 000006
【図５】
2013204842.tif 000007
【図６】
2013204842.tif 000008
【図７】
2013204842.tif 000009
【図８】
2013204842.tif 000010
【図９】
2013204842.tif 000011
【図１０】
2013204842.tif 000012
【図１１】
2013204842.tif 000013
【図１２】
2013204842.tif 000014